(57)【特許請求の範囲】
【請求項１】
荷物の収容部が設けられた袋体と、一方の側に前記袋体が取り付けられ、反対側が使用者の背中に対面する背中面と、前記背中面に取り付けられ、使用者の肩に接する左右一対の肩ベルトと、前記一対の肩ベルトの途中部分を互いに連結する連結部材と、使用者の腰周りに面で接する腰ベルトとを備えたリュックサックにおいて、
前記左右一対の肩ベルトは、両端が前記背中面の上端部と下端部に各々取り付けられ、使用者の肩から胸部に面で接する一対のパット部を備え、前記一対のパット部は、硬質のパット材により互いに内向きに屈曲した形状に形成され、前記連結部材は、屈曲した前記一対のパット部の互いに最も近接した位置に取り付けられ、
前記左右一対の肩ベルトは、前記連結部材で着脱自在に連結されることによって使用者の胸部面で交差したような形状に連結され、
使用状態で、前記左右一対の肩ベルトが使用者の体側から胸周りに面で接し、前記背中面が、使用者の背中に面で接して前記袋体と一体に保持されることを特徴とするリュックサック。
【請求項２】
前記連結部材は、使用者の体形に合わせて長さを調節可能に設けられている請求項１記載のリュックサック。
【請求項３】
前記腰ベルトの上側部分が、前記背中面の下側部分で取り外し可能に設けられている請求項１又は２記載のリュックサック。
【請求項４】
前記腰ベルトは、ストレッチ生地の部分を有し、当該ストレッチ生地が伸縮することによって使用者の腰周りを締め付けるように装着可能な請求項３記載のリュックサック。
【請求項５】
前記腰ベルトは、その中央部から一対の端部が延設された逆Ｕ字状の取付部が上方に設けられ、このＵ字の頂点部分が、前記背中面の下側部分に設けられ前記背中面の面に沿った方向に貫通した貫通孔内に挿通され、固定手段によって背中面に着脱自在に固定される請求項３または４記載のリュックサック。
【発明の詳細な説明】
【技術分野】
【０００１】
この発明は、荷物等の収容物を背負って持ち運ぶリュックサックに関する。
【背景技術】
【０００２】
荷物を収容するリュックサックのうち、例えばトレイルランニングと呼ばれる山岳を走破するスポーツに使用されるものがある。このトレイルランニングは、モンブランのような高地を、昼夜を問わず、１００ｋｍもの距離を走り続ける過酷な環境で行われるスポーツであり、選手はリュックサック内に設けたハイドレーションシステムを用いて給水する。このため、背面上の高い位置にリュックサックの袋体が位置するようにしなくてはならない。さらに、夜間照明具、ウォーキングストック、あるいは防寒衣類も袋体に入れることもあり、狭く、岩だらけの山道でのランニングによるリュックサックの横揺れは、選手に大きな負担となる。
【０００３】
従来、トレイルランニング、あるいは登山等に使用されるリュックサックにおいては、使用者が背負った後、胸ベルトと腰ベルトを締め付け、水筒等の荷物を収容した袋体を使用者の背中から腰部分に密着させる構造が用いられている。一般に、このような構造にすることによって、使用者が歩行や走行等の運動をしたときに発生する荷物自体の揺れを抑え、また、肩ベルトを介して肩に加わる負荷を軽減する等の効果が期待できる。
【０００４】
しかし、これまでのリュックサックを安定させるためのベルトは腹部上で締めており、締めすぎると苦しくなってしまうため、強く締めることができず、リュックサックの揺れを十分に抑えることができなかった。また、腹部上で締めるベルトは、歩行、走行中にベルトがずり上がり、結果的に緩めた状態になりやすかった。
【０００５】
その他、特許文献１に開示されるようなトレイルランニング用のリュックサックがある。このリュックサックは、袋体に複数の収容部が設けられ、収容部を仕切る仕切り面のうち背中面と平行な一つの仕切り部分に、袋体を側面方向に貫通する貫通孔が形成され、腰ベルトが貫通孔に挿通されその両端部が貫通孔の開口部両側から突出し、使用状態で、貫通孔よりも背中面側に位置する収容部中の収納物を、使用者の背中と前記腰ベルトによって腰の背後に挟持可能としたものである。
【先行技術文献】
【特許文献】
【０００６】
【特許文献１】特開２００９−１８９４３０号公報
【発明の概要】
【発明が解決しようとする課題】
【０００７】
しかし、特許文献１のリュックサックの場合、ほぼ真っ直ぐな形状の肩ベルトが前記左右一対に設けられ、各々の両端が背中面の上端部と下端部に取り付けられ、一対の肩ベルトが上下に略平行に位置している。従って、使用状態で、使用者は左右の脇に肩ベルトが上下方向に当たって締め付けられ、さらに、一対の肩ベルトの連結部を引くことにより、一対の肩ベルトが互いに近づくように移動し、各肩ベルトの片側が肩から離れ、線状で肩に接した部分に集中して荷重がかかるために、違和感や不快感を感じてしまうものである。
【０００８】
また、袋体の形状が上下に長く、その下端部が腰の背後にまで達する構造のため、トレイルランニング等の激しい運動をする場合、リュックサックの背中面が使用者の背中での揺れを十分に抑えることができず、背負い心地が悪く、袋体の振動が背中や腰に悪影響を与えるものであった。
【０００９】
この発明は、上記背景技術に鑑みてなされたもので、使用者が歩行や走行等の運動を行う場合にも肩ベルトの装着感がよく、使用者の背中での揺れを十分に抑えることが可能なリュックサックを提供することを目的とする。
【課題を解決するための手段】
【００１０】
この発明は、荷物の収容部が設けられた袋体と、一方の側に前記袋体が取り付けられ、反対側が使用者の背中に対面する背中面と、前記背中面に取り付けられ、使用者の肩に接する左右一対の肩ベルトと、前記一対の肩ベルトの途中部分を互いに連結する連結部材と、使用者の腰周りに面で接する腰ベルトとを備えたリュックサックであって、前記左右一対の肩ベルトは、両端が前記背中面の上端部と下端部に各々取り付けられ、使用者の肩から胸部に面で接する一対のパット部を備え、前記一対のパット部は、硬質のパット材により互いに内向きに屈曲した形状に形成され、前記連結部材は、屈曲した前記一対のパット部の互いに最も近接した位置に取り付けられ、前記左右一対の肩ベルトは、前記連結部材で着脱自在に連結されることによって使用者の胸部面で交差したような形状に連結され、使用状態で、前記左右一対の肩ベルトが使用者の体側から胸周りに面で接し、前記背中面が、使用者の背中に面で接して前記袋体と一体に保持されるリュックサックである。
【００１１】
また、前記連結部材は、使用者の体形に合わせて長さを調節可能に設けられている。前記腰ベルトの上側部分は、前記背中面の下側部分で取り外し可能に設けられているものである。前記腰ベルトは、ストレッチ生地の部分を有し、当該ストレッチ生地が伸縮することによって使用者の腰周りを締め付けるように装着可能である。
【００１２】
前記腰ベルトは、その中央部から一対の端部が延設された逆Ｕ字状の取付部が上方に設けられ、このＵ字の頂点部分が、前記背中面の下側部分に設けられ前記背中面の面に沿った方向に貫通した貫通孔内に挿通され、固定手段によって背中面に着脱自在に固定されるものである。
【発明の効果】
【００１３】
この発明のリュックサックは、左右一対の肩ベルトが連結部材で連結されることによって胸部面で交差したような形状に連結され、使用状態で、肩ベルトが使用者の体側から胸周りに面で接し、背中面が使用者の背中に面で接して袋体と一体に保持される。従って、肩ベルトによる不快な脇の締まりが軽減され装着感が良好で、激しい運動をしてもリュックサックの背中面が使用者の背中にフィットして、揺れを十分に抑え、背負い心地がよい。
【００１４】
また、連結部材は連結長さを調節可能に設けられているので、使用者の体形に合わせて微調整することができる。
【００１５】
さらに、必要に応じて、袋体の下側部分に腰ベルトの上側部分を取り付け、使用者の腰周りに腰ベルト装着すれば、袋体の下側部分が保持され上下の揺れを非常に小さく抑えることができる。
【００１６】
また、腰ベルトの一部にストレッチ生地の部分を設けることによって、使用者の腰周りを適度に締め付け腰の動きをサポートし、疲労感を軽減する等の効用がある。腰ベルトは、骨盤部分で締めることができ、ストレッチ生地を使うことにより締め付けても苦しくなく、ずり上がりも防ぐことができる。
【図面の簡単な説明】
【００１７】
【図１】この発明のリュックサックの一実施形態を背中面側から見た図である。
【図２】この実施形態のリュックサックを背後から見た図である。
【図３】この実施形態のリュックサックの使用状態を示す図である。
【発明を実施するための形態】
【００１８】
以下、この発明の一実施形態について、図１〜図３に基づいて説明する。この実施形態のリュックサック１０は、図１、図２に示すように、内側に荷物の収容部を有する袋体１２と、袋体１２が一方の側に取り付けられ反対側が使用者の背中に対面する背中面１４を有している。背中面１４は、使用者の背中上部に位置可能な形状に形成され、袋体１２が背中上部に位置するように設定されている。袋体１２の内部は図示しない複数の収容部に区切られ、上開口部にはスライドファスナ１２ａが開閉自在に設けられている。
【００１９】
背中面１４は、通気性を良くするために、ナイロンやポリエステル等の網目状の編み地で構成されている。袋体１２と背中面１４との境界は、下側半分ほどが離間し、袋体１２の下端部と背中面１４の下端部とが、各部に設けられた面ファスナ１８ａ，１８ｂの係合によって接続され、左右方向に貫通する貫通孔１６が形成されている。この貫通孔１６の内側には、後述する腰ベルト２０の取付部２２が保持されている。ここで、トレイルランニングにこのリュックサック１０を用いる場合、飲料水を入れたタンクであるリザーバーは、背中面１４と袋体１２の間に収納され、図示しないストローチューブを通し、使用者がリザーバーから飲料水を吸飲する。
【００２０】
背中面１４の上端部には、一対の肩ベルト２４が上方に突出して設けられている。肩ベルト２４は、背中面１４及び袋体１２が使用者の背中上方に位置するように形成されている。肩ベルト２４は、図１に示すように、途中で互いに内向きに屈曲した形状に形成されているパット部２４ａと、パット部２４ａが外向きに広がった下端部を背中面１４の下端部に連結固定する平紐２４ｂとで構成されている。パット部２４ａは、使用者の肩に面で接する側の面が硬質パット材にて形成され、肩に加わる荷重を分散させる働きをする。平紐２４ｂが背中面１４に固定されている部分は、使用者の体形に合わせて平紐２４ｂの長さを調節可能な構造になっている。また、パット部２４ａの所定部分に、飲料水を入れたフラスコなどを収容するポケット２６が設けられている。
【００２１】
一対の肩ベルト２４は、パット部２４ｂが内向きに屈曲し最も近接している部分が、連結部材２８によって互いに連結される。連結部材２８は比較的短く設けられることが好ましく、左右一対の肩ベルト２４が連結部材２８で連結されると、図３に示すように、肩ベルト２４が胸部面で交差したような形状に連結される。ここで、連結部材２８は、一対のベルトの先端に、雄雌のバックルがベルト長さを調節可能に取り付けられ、使用者の操作によりワンタッチで着脱できるようになっている。また、パット部２４ａに連結された一対のベルトの基端部は、パット部２４ａ上で上下方向の位置が調節可能に設けられている。
【００２２】
腰ベルト２６は、使用者の腰周りのよりも長い布地の帯体であり、長手方向の中央部は、伸縮可能なストレッチ生地部３０により形成され、ストレッチ生地部３０の両側から一対のベルト部３２，３４が延設されている。腰ベルト２６の長手方向ほぼ中央の領域には、逆Ｕ字状の取付部２２が上方に延設され、このＵ字の頂点部分が上記の貫通孔１６内に挿通され、図示しない面ファスナ又はバックル等の固定手段によって、背中面１４に着脱自在に固定されている。また、腰ベルト２６の一対のベルト部３２，３４の先端部には、使用者の腰に装着されたとき互いに係合する面ファスナ３６ａ，３６ｂが設けられ、また、外側の面には、小物などを出し入れするポケット３８等が設けられている。
【００２３】
このリュックサック１０は、使用者が身につけた状態で、図３に示すように、左右一対の肩ベルト２４が使用者の体側から胸周りにかけて、肩ベルト２４の裏面側が良好に面で接し、背中面１４も使用者の背中に面状に接して、袋体１２と一体に保持される。また、腰ベルト２０は、腰周りに巻かれ、ベルト部３２，３４同士が面ファスナ３６ａ，３６ｂによって固定され、背中面１４の下側部分が腰ベルト２０を介して腰周りに保持される。
【００２４】
以上説明したリュックサック１０は、左右一対の肩ベルト２４が連結部材２８で連結されることによって、使用者の胸部面で交差したような形状に連結され、使用状態では、肩ベルト２４が使用者の体側から胸周りに面で接し、背中面１４が使用者の背中に面状に接して袋体１２と一体に保持される。従って、肩ベルト２４による不快な脇の締まりが軽減され装着感が良好で、激しい運動をしてもリュックサック１０の背中面１４が使用者の背中での揺れを十分に抑え、袋体１２の揺れが少なく背負い心地がよい。特に、袋体１２の下側部分が取り付け部２２を介して腰ベルト２０によって保持されるので、袋体１２の上下の揺れが非常に小さく抑えられる。
【００２５】
また、腰ベルト２０の一部にストレッチ生地部３０が用いられているので、使用者の腰周りを適度に締め付け、腰の動きをサポートし、疲れを防止する等の効用がある。
【００２６】
なお、この発明のリュックサックは上記実施形態に限定されるものではない。例えば、一対の肩ベルトが内側に屈曲する形状は、連結部材で連結されることによって、概ね胸部面で交差したような形状であればよく、Ｖ字状、Ｕ字状その他のデザイン性を考慮した曲線状に屈曲するものであってもよく、幅寸法についても、多少の広い狭いがあってもよい。
【００２７】
また、背中面や腰ベルトが使用者の身体に面で接する部分に、ナイロンやポリエステル等の繊維によって立体メッシュ構造の編み地を形成し、汗によって背中が蒸れたり濡れたりしないように、より通気性をよくした構造にしてもよい。
【符号の説明】
【００２８】
１０  リュックサック
１２  袋体
１４  背中面
２０  腰ベルト
２４  肩ベルト
２２  取付部
２４ａ  パット部
２４ｂ  平紐
２８  連結部材
３０  ストレッチ生地部
【図１】
0005666185.tif 000002
【図２】
0005666185.tif 000003
【図３】
0005666185.tif 000004